(57)【要約】【課題】ＬＣＤ開閉検出装置を有する携帯型電子機器において、小型化とＬＣＤ開閉状態の検出の信頼性向上と、ＬＣＤ開閉角度の検出をできるようにすることを目的とする。【解決手段】ＬＣＤから放射される電磁波を検出する電磁波検出器１２と、ＬＣＤから放射される電磁波の周波数成分を持つ信号のみを通過させるバンドパスフィルタ１３と、入力された信号のレベルを検出する信号レベル検出器１４とで構成され、ＬＣＤの発生する電磁波を検出することにより、ＬＣＤの開閉状態が検出できる。【選択図】　図１
2004118000.tif 000002
【特許請求の範囲】
【請求項１】
電磁波検出器と、前記電磁波検出器の出力を入力として、ＬＣＤから放射される電磁波の周波数成分を持つ信号のみを通過させるバンドパスフィルタと、前記バンドパスフィルタの出力を入力として、入力された信号のレベルを検出する信号レベル検出器とで構成したＬＣＤ開閉検出装置。
【請求項２】
信号レべル検出器で検出した信号レベルの大きさと、ＬＣＤの開閉角度との相関関係を取ることにより、ＬＣＤの開閉角度を検出することを特徴とする請求項１記載のＬＣＤ開閉検出装置。
【請求項３】
電子機器本体の後方に設けられたヒンジを中心に開閉可能に取り付けられたＬＣＤと、前記電子機器本体の中央より手前側の前記ＬＣＤが閉じられたときに前記ＬＣＤに対向する位置に電磁波検出器を設けたことを特徴とする携帯型電子機器。
【発明の詳細な説明】
【０００１】
【発明の属する技術分野】
本発明は、ＬＣＤ（液晶ディスプレイ）の開閉状態を検出するＬＣＤ開閉検出装置および開閉式のＬＣＤを備えた携帯型電子機器に関するものである。
【０００２】
【従来の技術】
従来のＬＣＤ開閉検出装置は開閉式スイッチと突出部で構成されたものが知られている（例えば特許文献１参照）。
【０００３】
図３は従来の携帯型電子機器におけるＬＣＤ開閉検出装置を示す構成図である。図において、３１は電子機器本体、３２は電子機器本体の内部に組み込まれたスイッチ、３３は電子機器本体に開閉可能に取り付けられたＬＣＤ、３４はＬＣＤ３３に設けられた突出部である。
【０００４】
このように構成された従来のＬＣＤ開閉検出装置においては、ＬＣＤ３３を閉じた場合に突出部３４が、スイッチ３２を押してＬＣＤ３３が閉じられたことを検出するように作用する。
【０００５】
携帯型電子機器は、ＬＣＤの開閉状態を検出することによって、ＬＣＤが閉じられていれば携帯型電子機器が不使用中であると判断することができるため、ＬＣＤのバックライトなど、待機状態では不要な部分の電源を切り、低消費電力動作に移行することができる。
【０００６】
【特許文献１】
特開２００１−３１２３３６号公報
【０００７】
【発明が解決しようとする課題】
従来のＬＣＤ開閉検出装置においては、電子機器本体とＬＣＤのそれぞれに部品を配置する必要があり、携帯型電子機器の小型化を阻害している。特に、ＬＣＤ側に突出部や部品を設ける場合、ＬＣＤ筐体に対する表示面積が制限されてしまう。
【０００８】
また、電子機器本体とＬＣＤのそれぞれに配置された部品が連動して動作するために、両部品の取り付け位置誤差によりＬＣＤを閉じても開閉式スイッチがＯＮしないという誤動作が発生する。携帯型電子機器においてはＬＣＤが閉じられたことをＬＣＤ開閉検出装置にて検出し、低消費電力動作に移行させることを行っているため、ＬＣＤが閉じられたにもかかわらず、ＬＣＤ開閉検出装置の誤動作で通常動作を継続した場合には電池の残量がなくなってしまい、その結果重要なデータが消失してしまうというような事態が発生する。従ってＬＣＤ開閉検出装置の取り付け位置には高い精度が要求されている。
【０００９】
また、このようなＬＣＤ開閉検出装置では、ＬＣＤの開閉の繰り返しによって、開閉式スイッチなどの損傷や磨耗が発生しやすい。
【００１０】
また、ＬＣＤが閉じたことは検出できるが、ＬＣＤの開閉角度を検出することはできない。このため、通常使用における開閉角度（１００〜１２０゜）と、全開の角度（１８０°）が区別できないため、全開して対面の相手に見せる場合に画面の表示を反転させる機能を開閉動作と連動させることができなかった。
【００１１】
本発明は、ＬＣＤ開閉検出装置を有する携帯型電子機器の小型化と信頼性を高めることと、ＬＣＤ開閉角度を検出することを目的とする。
【００１２】
【課題を解決するための手段】
この課題を解決するために本発明は、電子機器本体にのみ組み込んだＬＣＤ開閉検出装置により、ＬＣＤから発生する電磁波を検出して、ＬＣＤの開閉状態を検出するように構成したものである。
【００１３】
これにより、電子機器の小型化ができて、また、ＬＣＤの開閉状態を誤って検出することがなく、信頼性の高く、また、ＬＣＤの開閉角度を検出することができるＬＣＤ開閉検出装置が得られる。
【００１４】
【発明の実施の形態】
本発明の請求項１に記載の発明は、電磁波検出器と、前記電磁波検出器の出力を入力として、ＬＣＤから放射される電磁波の周波数成分を持つ信号のみを通過させるバンドパスフィルタと、前記バンドパスフィルタの出力を入力として、入力された信号のレベルを検出する信号レベル検出器とで構成したＬＣＤ開閉検出装置であり、ＬＣＤの発生する電磁波を検出することにより、ＬＣＤが閉じられたことが検出できるため、ＬＣＤ側には部品を設ける必要がなく、ＬＣＤ開閉検出装置が設けられた電子機器を小型化でき、さらに、ＬＣＤ開閉検出装置の取り付け精度もいらず、ＬＣＤ開閉検出装置に負荷もかからないため、損傷や磨耗の恐れがなく信頼性が高いという作用を有する。
【００１５】
請求項２に記載の発明は、請求項１記載のＬＣＤ開閉検出装置において、信号レべル検出器で検出した信号レベルの大きさと、ＬＣＤの開閉角度との相関関係を取ることにより、ＬＣＤの開閉角度を検出することを特徴とするもので、ＬＣＤの開閉角度に合わせた機能を開閉動作に連動させられるという作用を有する。
【００１６】
請求項３に記載の発明は、電子機器本体の後方に設けられたヒンジを中心に開閉可能に取り付けられたＬＣＤと、前記電子機器本体の中央より手前側の前記ＬＣＤが閉じられたときに前記ＬＣＤに対向する位置に電磁波検出器を設けたことを特徴とする携帯型電子機器であり、ＬＣＤ開閉による信号レベルの差が大きくなり、ＬＣＤ開閉検出の精度が高められるという作用を有する。
【００１７】
以下、本発明の実施の形態について、図１から図２を用いて説明する。
【００１８】
（実施の形態１）
図１はＬＣＤ開閉検出装置のブロック図を示し、図１において、１２は電磁波を検出する作用を行う電磁波検出器、１３はＬＣＤから放射される電磁波の周波数成分を持つ信号のみを通過させるバンドパスフィルタ、１４は入力された信号のレベルを検出する信号レベル検出器である。
【００１９】
図２はＬＣＤ開閉装置を有する携帯型電子機器の外観斜視図を示し、図２において、２１は電子機器本体、２２は電子機器本体内部に組み込まれたＬＣＤ開閉検出装置、２３はＬＣＤである。ＬＣＤ２３は電子機器本体の後方に設けられたヒンジ（図示せず）を中心に開閉可能に取り付けられる。また、ＬＣＤ開閉検出装置２２は電子機器本体２１の中央より手前側に配置されている。
【００２０】
以上のように構成された本発明のＬＣＤ開閉検出装置について、その動作を説明する。
【００２１】
一般にＬＣＤ画面は固有の掃引周波数を持つ信号で駆動されており、この周波数にもとづいた電磁波を放出している。
【００２２】
まず、図２において、ＬＣＤ２３を閉めるとＬＣＤ開閉検出装置２２とＬＣＤ２３との距離が近づくためにＬＣＤ開閉検出装置２２はＬＣＤ２３からより強い電磁波を受けるようになる。
【００２３】
次に、図１において、ＬＣＤから放出された電磁波はＬＣＤ開閉検出装置２２内部にある電磁波検出器１２により検出される。この電磁波信号のうち、ＬＣＤの固有掃引周波数にもとづいた周波数成分を持つ信号のみがバンドパスフィルタ１３を通過して信号レベル検出器１４に入力される。ＬＣＤ２３が閉じられて、ＬＣＤ２３と電磁波検出器１２との間の距離が短くなってくれば、それに応じて、信号レベル検出器１４からはより大きな信号レベルが検出される。この信号レベルの大きさにより、ＬＣＤの開閉状態を判断する。
【００２４】
また、信号レべル検出器１４で検出した信号レベルの大きさと、ＬＣＤ２３の開閉角度との相関関係を取ることにより、ＬＣＤ２３の開閉角度を検出することができる。このとき、開いた状態では、ＬＣＤ２３に対してＬＣＤ開閉検出装置２２が遠くなる位置に配置されているため、閉じた状態との信号レベルの差が大きくなり、検出が高精度に行なえる。
【００２５】
これによって、ＬＣＤ２３を閉じた状態と開いた状態が検出でき、これに連動させて、ＬＣＤが閉じられていれば携帯型電子機器が不使用中であると判断することができるため、ＬＣＤのバックライトなど、待機状態では不要な部分の電源を切り、低消費電力動作に移行する。
【００２６】
また、通常使用における開閉角度（１００〜１２０゜）と、全開の角度（１８０°）も信号レベルの大きさによって区別でき、全開して対面の相手に見せる場合に画面の表示を反転させる機能を連動させることもできる。
【００２７】
なお、以上の説明では、ＬＣＤ開閉検出装置のブロック図をバンドパスフィルタで構成した例で説明したが、その他の周波数選別手段についても同様に実施可能である。
【００２８】
【発明の効果】
以上のように本発明によれば、ＬＣＤに部品を取り付ける必要がないので、ＬＣＤ開閉検出装置を有する携帯型電子機器を小型化することができる。
【００２９】
また、ＬＣＤ開閉検出装置の部品の取り付け誤差により、誤動作が発生したり、損傷や磨耗するということがなくなり、ＬＣＤ開閉検出装置の信頼性を高めることができる。
【００３０】
また、ＬＣＤの開閉角度を検出できるので、携帯型電子機器においてより詳細な省電力制御や、画面表示制御が可能となるという有利な効果が得られる。
【図面の簡単な説明】
【図１】本発明の一実施の形態によるＬＣＤ開閉検出装置を示すブロック図
【図２】本発明の一実施の形態によるＬＣＤ開閉検出装置を備えた携帯用電子機器の外観斜視図
【図３】従来のＬＣＤ開閉検出装置を備えた携帯用電子機器の外観斜視図
【符号の説明】
１２　電磁波検出器
１３　バンドパスフィルタ
１４　信号レベル検出器
２１　電子機器本体
２２　ＬＣＤ開閉検出装置
２３　ＬＣＤ
【図１】
2004118000.tif 000003
【図２】
2004118000.tif 000004
【図３】
2004118000.tif 000005